(57)【特許請求の範囲】
【請求項１】
モーター（１）に固定ベベルギヤ（２）を固着する。
ギヤケース（４）の軸受部でプロペラ（５）２個を軸支し、当該軸に自転ベベルギヤ（３）を固着する。
組み上げられたギヤケース（４）をモーター（１）軸に嵌合し、自転ベベルギヤ（３）と固定ベベルギヤ（２）を噛合させ、当該軸に固着し、全熱交換器（７）と共にケーシング（６）に装置する。
以上の如く構成された熱交換型換気扇。
【発明の詳細な説明】
【０００１】
【産業上の利用分野】
本発明は、室内の換気に於て、プロペラファン１台で、強制排気と強制給気を同時に行い、この際、広く一般に使用され公知の吸放湿性能に優れた熱交換エレメントからなる空気全熱交換器（顕熱・潜熱型）で、温度と湿度を連続的に回収して再生を繰り返す熱交換型換気扇に関するものである。
【０００２】
【従来の技術】
従来、ファン１台で室内を換気する場合は、単に排気用か或いは給気用であり、正逆転切替え装置を設けたファンでも排気と給気を同時に行うことはできない。又、何れも温度と湿度を回収せず再生不能であり、換気量に比例して冷暖房機器の負荷も増大し、省エネルギー政策に逆行する。
殊に住宅に於ては、以上の欠点の他に何れのファンを使用する場合でも室内の単位時間当りの換気量に比例して室外との差圧が増大し、ドアなどの開閉が困難になる。又、ファンの能力低下、隙間からの騒音発生などの欠点があった。今後も住宅は益々高気密・高断熱化の傾向にあり、結露やカビ、ダニの発生など衛生上からも換気が重要視されるに伴い、それらの影響は著しくなる問題があった。
【０００３】
【発明が解決しようとする課題】
解決しようとする問題点は、ファン１台では室内の強制排気と強制給気を同時にできない点と、この際、温度と湿度を回収して再生できない点である。
本発明は、これらの欠点を除く為になされたものである。
【０００４】
【課題を解決するための手段】
図面により説明すれば、軸流送風方式ファンのプロペラ（５）を取付け角が自由になる可変式構造とし、ギヤ機構で、自転させ変位させながら公転させることにより、モーター（１）軸が約１８０度回転（公転）毎にプロペラ（５）を９０度回転（自転）変位させ、送風方向が逆になるようにして、当該ファン１台で、室内の強制排気と強制給気を同時に行い、バランスのとれた効率よい換気にする。
この際、送風方向が逆になるプロペラ（５）の変位位置を１８０度回転（公転）丁度にせず、ギヤ機構の歯数比により前後どちらか一方へ若干ずれて行くように算出設計し、排気と給気の境界線である変換位置を連続的、且つ、徐々に回転移動させる。
次に、当該ファンへ、広く一般に使用され公知の吸湿剤・脱湿剤を含侵処理した特殊加工紙製及び当該処理した微細な孔を持つ多孔質構造のプラスチックシート製などによる吸放湿性能に優れた熱交換材を、単位容積当りの空気との接触面積を大きくした積層ハニカム構造のエレメントからなる着脱自在な全熱交換器（７）を装着すれば、当該全熱交換器（７）を回転させなくても連続的に温度と湿度を回収して再生を繰り返し、冷暖房設備ならびに運転費の大幅な節減を可能にする。
尚、変換位置の変化量は、ファン容量及び熱交換材の種類などにより、全熱交換器（７）の熱交換効率を最高の状態で稼動が得られるように、最適な歯数比を理論と実験により決定するが、当該変化量は、概ね毎分数回転から２０数回転の範囲となる。
冬期の高湿度住宅などの換気に於ては、全熱交換器（７）の代りに排湿機能型顕熱交換器の装着により、室内の結露やカビ、ダニの発生を抑える効果がある。
必要に応じて外気吸引側に着脱自在の集塵フィルター（８）をケーシング（６）に装着する。
本発明は、以上の如く構成された熱交換型換気扇を実現した。
【０００５】
【作用】
本発明は、以上のような構成であるから、住宅・事務所・ビルなどの換気に於て、モーター（１）を運転すれば、ファン１台で室内の強制排気と強制給気を同時に行い、この際、全熱交換器（７）の熱交換作用は、エレメントの約半分に温度及び湿度が高い空気の顕熱と潜熱を蓄熱させ、排気と給気の変換位置の回転移動に伴い、温度及び湿度の低い空気にその蓄熱した顕熱と潜熱を放出する作用を行わせる。このようにして連続的に温度と湿度を回収して再生を繰り返し、室内の温度・湿度制御を司る作用をする。
尚、温度及び湿度の回収不要の場合は、当該全熱交換器（７）をケーシング（６）より取外しすれば、強制排気と強制給気を同時に行うのみの作用をする。
【０００６】
【実施例】
図１及び図２は、本発明装置の第１実施例の側面図及び正面図で一部を切り欠いて示した。（請求項１の実施例）
モーター（１）ボスに固定ベベルギヤ（２）を嵌合固着する。
ギヤケース（４）周部に２個設けた軸受部と自転ベベルギヤ（３）にプロペラ（５）軸を嵌通して軸支し、取付け角度の位置決めした２個のプロペラ（５）軸と自転ベベルギヤ（３）を固着する。
このようにして組み上げられたギヤケース（４）をモーター（１）軸に嵌合し、自転ベベルギヤ（３）と固定ベベルギヤ（２）を噛合させて、モーター（１）軸に固着し、円筒状の全熱交換器（７）と共にケーシング（６）に装置する。
モーター（１）を運転すれば、歯数比により自転ベベルギヤ（３）は固定ベベルギヤ（２）の周りを約１８０度回転（公転）する間に自己の軸の周りを９０度回転（自転）し、プロペラ（５）の送風方向を逆にする。
本発明の主体は、２枚羽根で構成したプロペラファン１台で室内の強制排気と強制給気を同時に行い、且つ、全熱交換器（７）の回転を不要にする機構・方法にあるので、広く一般に使用され公知の全熱交換器（７）の材質・機能などの説明は省略する。
本発明は以上のような構成により、プロペラファン１台で室内の強制排気と強制給気を同時に行い、この際、全熱交換器（７）で温度と湿度を回収して再生を繰り返す為、一般の換気扇と同様の取付け工事及び使い勝手で室内を調温・調湿する。
尚、必要に応じて、当該ケーシング（６）にフィルター（８）を装着可能にする。
【０００８】
【発明の効果】
以上説明したように本発明の熱交換型換気扇は、プロペラファン１台で、室内の強制排気と強制給気を同時に行うことを最も主要な特徴とするが、付加価値を高める為に、住宅・事務室・ビルなどの換気に於て、当該プロペラファンに回転不要の全熱交換器を装着し、連続的に温度と湿度を回収して再生を繰り返すことにより、冷暖房設備費ならびに運転費の大幅な節減を実現した。
具体的には、構造が極めて簡単で小型の為、設置に場所を取らず、従来のプロペラ方式換気扇取付け工事と同様方法でよく特殊な工事を要しない。
軸流方式により排気・給気共に気流が一直線となり、全熱交換器の圧力損失を低減化、当該プロペラファンの運転に必要な僅かな動力で、外気の顕熱負荷と潜熱負荷を従来方式より優れた熱交換効率で処理し、夏期には給気を予冷・除湿し、冬期には予熱・加湿して、冷暖房した室内の温度・湿度を殆ど変えずに排気・給気のバランスのよい換気を行う。しかも外気条件へ即効的に、且つ、自動的に追随し、夏期・冬期及び中間期など年間を通して切替え操作を要せず、極めて経済性が高く常時換気に威力を発揮する。
当該全熱交換器は可動部分がなく、更に気流は境界層流状態の対向流方式により、自浄作用を持つ為、塵埃がエレメント内に堆積しないので目詰りがなく、熱交換効率低下せず、耐久性抜群であり保守管理が殆ど不要である。
又、当該全熱交換器は構造上、防音・防振効果に優れ、室外騒音の侵入及び室内騒音の流出と当該プロペラファンから発生する流体力学的・機械的騒音をも低減する効果がある。
尚、応用例として、冬期の高湿度住宅などの換気に於ては、全熱交換器の代りに、排湿機能型の顕熱交換器を装着すれば、室内の結露やカビ、ダニの発生を抑える効果がある。
外気の臭気を除去したい場合には、吸放臭可能な熱交換材からなる全熱交換器を装着すれば、消臭効果がある。
病院などの使用に於て、先に述べた当該騒音を更に低減する必要がある場合には、室内と室外の両側に全熱交換器を装着可能な構造のケーシングにすることにより、簡単に実現できる。
外気の汚染された地域での使用に於て、外気吸引側に集塵フィルターを装着しても対向流方式の為、目詰りしない効果がある。
以上の効果は、地球環境保護に対する国際的な要請からその機運が高まる中で、政府の地球温暖化防止計画もあり、省エネルギー対策に大いに寄与するものである。
【図面の簡単な説明】
【図１】本発明装置の実施例の側面図で一部を切り欠いて示した。
【図２】本発明装置の実施例の正面図で一部を切り欠いて示した。
【符号の説明】
１  モーター
２  固定ベベルギヤ
３  自転ベベルギヤ
４  ギヤケース
５  プロペラ
６  ケーシング
７  全熱交換器
８  フィルター
【図１】
0003965640.tif 000002
【図２】
0003965640.tif 000003